(57)【要約】【課題】独立型太陽光発電システムに使用されている複数個の蓄電池の点検の際の複数個の蓄電池の充電を簡単に行う。【解決手段】充電器で複数個の蓄電池を充電するに当たり、直列接続して推奨の充電電流が得られる個数だけを直列接続した被充電蓄電池群を複数構成し、これを推奨電流で定電流充電後定電圧充電し、定電圧時に充電電流が推奨の充電電流を最初に構成された被充電蓄電池群の個数で除した値に等しくなったら充電を停止する充電を全ての被充電蓄電池群に実施し、その後全ての被充電蓄電池群を並列接続し、推奨の充電電流で並列接続した被充電蓄電池群を満充電することで、独立型太陽光発電システムが備える蓄電池の数や容量に関係なく、同じ充電器を用いて蓄電池の点検時の充電をすることができるので、蓄電池の数や容量に合わせてその都度充電器を変えたり、特殊な充電器を用いたりする必要が無いので充電が簡単である。【選択図】図１
2019097320.tif 000002
【特許請求の範囲】
【請求項１】
充電器で複数個の蓄電池を充電するに当たり、該蓄電池を直列接続して該充電器で推奨の充電電流が得られる個数だけを直列接続した被充電蓄電池群を複数構成し、これを推奨電流で定電流充電後定電圧充電し、定電圧時に充電電流が推奨の充電電流を最初に構成した被充電蓄電池群の個数で除した値に等しくなったら充電を停止する充電を全ての被充電蓄電池群に実施し、その後、全ての被充電蓄電池群を並列接続し、推奨の充電電流で並列接続した被充電蓄電池群を満充電することを特徴とする複数蓄電池の充電方法。
【発明の詳細な説明】
【技術分野】
【０００１】
本発明は、複数蓄電池の充電方法に関するものである。
【背景技術】
【０００２】
蓄電池の充電は、蓄電池の容量にあった充電器を用いて充電するのが通常であり、例えば小容量の蓄電池を充電するには小型の充電器を用い、蓄電池システム等の複数個の蓄電池から成る大容量の蓄電池を充電するには大型の充電器を用いている。然しながら、例えば商用電源の無い独立型太陽光発電システムは山奥に設置される場合があり、このシステムの点検時に設置されている蓄電池の容量試験を行うときには発電機付きの充電器が必要となるが、充電器は平地からその都度持ち運ぶ必要がある。この際に点検を行うシステム毎に充電器を変えて持ち運ぶ事は必ずしも叶わない場合がある。本発明はこのような課題を解消しようとするものである。
【０００３】
例えば、複数個の蓄電池を充電するに当たり、大電流充電電流容量をもつ整流器1個と、後は小電流充電電流容量をもつ整流器を充電端子分だけ一つの充電器に設けることで、全ての蓄電池を同時に充電することに代え、個別に充電することが知られている（特許文献１）。
【先行技術文献】
【特許文献】
【０００４】
【特許文献１】特開平９−２１５２１６号公報
【発明の概要】
【発明が解決しようとする課題】
【０００５】
然しながら、上記特許文献１に記載される様に、充電器に大電流充電電流容量を持つ整流器と小電流充電電流容量を持つ整流器をそれぞれ備えなければならないなど整流器を変更する必要が有り、煩わしいものである。本発明は、これらの事情に鑑みなされたもので、充電器に複数の整流器を備えることなく、簡単に複数個の蓄電池を充電することができる方法を提供するものである。
【課題を解決するための手段】
【０００６】
本発明は、これらの課題を解決したもので、充電すべき複数個の蓄電池を充電するに当たり、直列接続して推奨の充電電流が得られる個数だけを直列接続した被充電蓄電池群を複数群構成し、これを推奨電流で定電流充電後、定電圧充電し、定電圧時に充電電流が推奨の充電電流を最初に構成された被充電蓄電池群の個数で除した値に等しくなったら充電を停止する充電を全ての被充電蓄電池群に実施し、その後全ての被充電蓄電池群を並列接続し、推奨の充電電流で並列接続した被充電蓄電池群を満充電するものである。
【０００７】
この様に、所持した充電器により充電するに当たり、複数個の蓄電池からこれらを直列接続して推奨の充電電流が得られる数だけの蓄電池からなる被充電蓄電池群を構成し、これら構成された被充電蓄電池群を定電流定電圧充電するので、充電器を蓄電池容量に合わせて持参する必要もなく、更に、定電圧充電時に充電電流が被充電蓄電池群の個数で推奨の充電電流を除した値に等しくなったら充電を停止し、最後に全ての被充電蓄電池群を並列接続して推奨の充電電流で充電するので、比較的時間の掛かる最後の充電を全部一緒に充電するので、複数の整流器を備える充電器とする必要もなく、更に、個々の被充電蓄電池群をそれぞれに満充電までに充電する場合に比べ、全体の充電時間を短縮することができるものである。
【発明の効果】
【０００８】
本発明によれば、使用している蓄電池の容量に合わせて充電器を用意する必要もなく、更に、整流器を複数備える充電器とすることもなく、煩わしさなく簡単に複数個の蓄電池を充電できるものである。
【図面の簡単な説明】
【０００９】
【図１】本発明実施形態を説明するためのブロック図である。
【発明を実施するための形態】
【００１０】
図１に基づき、本発明の実施形態を説明する。
【００１１】
太陽光発電システムに電力平滑用として複数個の鉛蓄電池が用いられている。この様な場所へ充電器を持って、蓄電池の容量試験を実施する。充電器１は、発電機１１を備え、発電した交流電力を直流に変換する整流器１２を備え、更に定電流定電圧制御する為の制御部１３を備えている。太陽光発電システムに使用されている鉛蓄電池２が３０個の場合、用いた充電器１で、推奨の充電電流である０．１ＣＡの充電電流で充電するには、１０個直列にすることで可能であることが分かったので、１０個の鉛蓄電池２から構成される被充電蓄電池群３を３組構成した。そして１組の被充電蓄電池群３を充電器１に接続し、発電機１１を可動して通常通り制御部１３で制御して０．１ＣＡの定電流で充電し、充電により鉛蓄電池の電圧が上がり所定の電圧になったことを制御部１３で検知して、定電圧充電に切り替える。そして、定電圧充電により、充電電流は低下し、その値が、推奨の充電電流である０．１ＣＡを構成した被充電蓄電池群３の組数の３で除した０．０３ＣＡになった時点で充電を停止し、次に残りの２個の被充電蓄電池群３をそれぞれ同様に定電流定電圧充電する。そして、全ての被充電蓄電池群３への定電流定電圧充電が終了した後、３組の被充電蓄電池群３を並列接続して、主回路に０．１ＣＡの定電流を流し充電した。この時、並列接続されたそれぞれの被充電蓄電池群３に０．０３ＣＡの電流が流れ、トータルで１０３％の充電電気量となった時点で充電を停止することで、各鉛蓄電池２を満充電した。この時に要した充電時間は、各被充電蓄電池群３に定電流定電圧充電した時間が１２時間で、合計１２×３で３６時間、その後、並列接続して充電した時間が３時間で、合計３９時間であった。一方、被充電蓄電池群３の１組を満充電まで充電すると、１５時間掛かり、これが３組あるので、４５時間掛かる事になる。従って、本発明方法によれば、４５−３９＝６時間の充電時間が短縮されたことになる。
【００１２】
更に、被充電蓄電池群３が５組構成された場合に同一の充電器で充電する場合は、０．１ＣＡによる定電流で充電し、定電圧充電に切り替わった後、充電電流が推奨の充電電流である０．１ＣＡの１／５の値、即ち０．０２ＣＡになった時点で充電を停止し、次に残りの４組の被充電蓄電池群３をそれぞれ同様に定電流定電圧充電し、全ての被充電蓄電池群３への定電流定電圧充電が終了した後、５組の被充電蓄電池群３を並列接続して、主回路に０．１ＣＡの定電流を流すと、並列接続されたそれぞれの被充電蓄電池群に０．０２ＣＡの電流が流れ、トータルで１０３％の充電電気量となった時点で充電を停止することで、各鉛蓄電池２を満充電した。この時に要した充電時間は、各被充電蓄電池群３に定電流定電圧充電した時間が１３時間で、合計１３×５で６５時間、その後、並列接続して充電した時間が２時間で、合計６７時間であった。一方、被充電蓄電池群３の１組を満充電まで充電すると、１５時間掛かり、これが５組あるので、７５時間掛かる事になる。従って、本発明方法によれば、７５−６７＝８時間の充電時間が短縮されることになる。
【００１３】
更に、被充電蓄電池群３が１０組構成された場合に同一の充電器で充電する場合は、０．１ＣＡによる定電流で充電し、定電圧充電に切り替わった後、充電電流が推奨の充電電流である０．１ＣＡの１／１０の値、即ち０．０１ＣＡになった時点で充電を停止し、次に残りの９組の被充電蓄電池群３をそれぞれ同様に定電流定電圧充電し、全ての被充電蓄電池群３への定電流定電圧充電が終了した後、１０組の被充電蓄電池群３を並列接続して、主回路に０．１ＣＡの定電流を流すと、並列接続されたそれぞれの被充電蓄電池群３には０．０１ＣＡの電流が流れ、トータルで１０３％の充電電気量となった時点で充電を停止することで、各鉛蓄電池２を満充電した。この時に要した充電時間は、各被充電蓄電池群３に定電流定電圧充電した時間が１４時間で、合計１４×１０で１４０時間、その後、並列接続して充電した時間が１時間で、合計１４１時間であった。一方、各被充電蓄電池群３の１組を満充電まで充電すると、１５時間掛かり、これが１０組あるので、１５０時間掛かる事になる。従って本発明方法によれば、１５０−１４１＝９時間充電時間が短縮されることになる。
【００１４】
この様に、本発明では、複数個の蓄電池を充電するに当たり、直列接続して推奨の定電流が得られる個数だけを直列接続した被充電蓄電池群を構成し、これを推奨電流で定電流充電後定電圧充電し、定電圧時に充電電流が推奨の充電電流を構成した被充電蓄電池群の個数で除した値に等しくなったら充電を停止する充電を全ての被充電蓄電池群に実施し、その後全ての被充電蓄電池群を並列接続し、推奨の充電電流で並列接続した被充電蓄電池群を充電し、満充電するので、使用している蓄電池の容量に合わせて充電器を用意する必要はなく、更に従来の如く整流器を複数備える充電器とすることもなく、煩わしさなく簡単に蓄電池を満充電することができると共に、充電時間を極力短縮することが出来るものである。
【００１５】
なお、上記説明においては、鉛蓄電池の例について説明したが、ニッケルカドミウム蓄電池等、蓄電池の種類を問わず利用することができる。また、推奨の充電電流として０．１ＣＡの例を記載したがこの値に拘る事なくそれぞれ推奨の充電電流で利用することができる。
【符号の説明】
【００１６】
１    充電器
１１  発電機
１２  整流器
１３  制御部
２    鉛蓄電池
３    被充電蓄電池群
【図１】
2019097320.tif 000003